(57)【特許請求の範囲】
【請求項１】
器具本体と、第１の有機エレクトロルミネッセンス素子の光出射面を上側として前記器具本体に保持された第１の有機エレクトロルミネッセンス素子モジュールと、前記第１の有機エレクトロルミネッセンス素子モジュールの上面側を覆う透光性の第１の保護カバーと、第２の有機エレクトロルミネッセンス素子の光出射面を下側として前記器具本体に保持された第２の有機エレクトロルミネッセンス素子モジュールと、前記第２の有機エレクトロルミネッセンス素子モジュールの下面側を覆う透光性の第２の保護カバーとを備え、
前記器具本体と前記第２の保護カバーとの間には、規定の距離を保つスペーサが、複数箇所に配置されていることを特徴とする照明器具。
【発明の詳細な説明】
【技術分野】
【０００１】
本発明は、光源として有機エレクトロルミネッセンス素子を用いた照明器具に関するものである。
【背景技術】
【０００２】
近年、光源として有機エレクトロルミネッセンス素子を用いた照明器具が提案されている（例えば、特許文献１）。
【０００３】
特許文献１には、図６に示す構成を有する照明器具６０が記載されている。
【０００４】
照明器具６０は、器具本体６２と、この器具本体６２を支持する支持パイプ６３と、支持パイプ６３を介して器具本体６２を固定する固定部６４とを備えている。
【０００５】
器具本体６２は、複数の有機エレクトロルミネッセンスパネル（以下、有機ＥＬパネル）６１と、これら複数の有機ＥＬパネル６１を支持する支持フレーム６５と、支持フレーム６５に支持された複数の有機ＥＬパネル６１を覆うカバー部材６６とを有している。
【０００６】
ここにおいて、特許文献１には、照明器具６０が、固定部６４により室内の天井６７に固定されることが記載されている。また、特許文献１には、各有機ＥＬパネル６１からの光が、室内の床面に向かって照射されることが記載されている。
【先行技術文献】
【特許文献】
【０００７】
【特許文献１】特開２００９−１７０２４９号公報
【発明の概要】
【発明が解決しようとする課題】
【０００８】
ところで、天井６７から吊り下げられた照明器具６０では、各有機ＥＬパネル６１からの光が、室内の床面に向かって照射されるので、器具本体６２から下方の空間を明るくすることが可能となる。
【０００９】
しかしながら、この照明器具６０では、各有機ＥＬパネル６１からの光による器具本体６２の上側への配光について考慮されていないので、器具本体６２から上方の空間が暗くなる可能性がある。
【００１０】
そこで、本願発明者は、天井６７から吊り下げられた照明器具６０において、器具本体６２の上側への配光を可能とするために、支持フレーム６５の上側にも有機ＥＬパネル６１を配置することを考えた。また、本願発明者は、このような照明器具６０では、支持フレーム６５の上側に配置された有機ＥＬパネル６１に埃などが積もるので、積もった埃が大気中の水分を吸収し、この水分に起因して有機ＥＬパネル６１の劣化（光量の低下や短寿命化など）の懸念があると考えた。
【００１１】
本発明は上記事由に鑑みて為されたものであり、その目的は、器具本体の上側への配光が可能で、且つ、有機エレクトロルミネッセンス素子モジュールの劣化を抑制可能な照明器具を提供することにある。
【課題を解決するための手段】
【００１２】
本発明の照明器具は、器具本体と、第１の有機エレクトロルミネッセンス素子の光出射面を上側として前記器具本体に保持された第１の有機エレクトロルミネッセンス素子モジュールと、前記第１の有機エレクトロルミネッセンス素子モジュールの上面側を覆う透光性の第１の保護カバーと、第２の有機エレクトロルミネッセンス素子の光出射面を下側として前記器具本体に保持された第２の有機エレクトロルミネッセンス素子モジュールと、前記第２の有機エレクトロルミネッセンス素子モジュールの下面側を覆う透光性の第２の保護カバーとを備え、前記器具本体と前記第２の保護カバーとの間には、規定の距離を保つスペーサが、複数箇所に配置されていることを特徴とする。
【発明の効果】
【００１３】
本発明の照明器具においては、器具本体の上側への配光が可能で、且つ、有機エレクトロルミネッセンス素子モジュールの劣化を抑制可能となる。
【図面の簡単な説明】
【００１４】
【図１】本実施形態の照明器具を示す概略断面図である。
【図２】同上の照明器具を示し、（ａ）は概略平面図、（ｂ）は第２の保護カバーを一部切り欠いた概略下面図である。
【図３】同上の照明器具を示し、（ａ）は一部破断した概略断面図、（ｂ）は（ａ）の要部拡大図である。
【図４】同上の照明器具の有機エレクトロルミネッセンス素子モジュールの分解斜視図である。
【図５】同上の照明器具の有機エレクトロルミネッセンス素子モジュールの組み立て方法の説明図である。
【図６】従来例の照明器具を示す概略側面図である。
【発明を実施するための形態】
【００１５】
以下、本実施形態の照明器具について、図１〜図５を参照しながら説明する。
【００１６】
本実施形態の照明器具は、ペンダントライトであり、器具本体２０と、有機エレクトロルミネッセンス素子を有する有機エレクトロルミネッセンス素子モジュール１とを備えたものである。なお、本実施形態では、有機エレクトロルミネッセンス素子モジュール（以下、有機ＥＬモジュール）１を説明した後に、有機ＥＬモジュール１を備えた照明器具について説明する。
【００１７】
有機ＥＬモジュール１は、板状（本実施形態では、矩形板状）に形成されている。
【００１８】
また、有機ＥＬモジュール１は、図４に示すように、上述の有機エレクトロルミネッセンス素子からなる発光パネル２を有する光源部３と、光源部３を着脱自在に取り付け可能なベース部４とを備えている。なお、ベース部４は、器具本体２０に有機ＥＬモジュール１を取り付けるためのものである。
【００１９】
光源部３は、上述の発光パネル２と、発光パネル２の光出射面側（図４では、下面側）とは反対側に配置され発光パネル２と電気的に接続される配線基板８とを有している。また、光源部３は、配線基板８における発光パネル２側とは反対側の部位を覆うケース６と、発光パネル２における光出射面側の部位を覆いケース６に取り付けられるカバー５とを有している。なお、本実施形態では、発光パネル２の外周形状が、矩形状に形成されているが、この形状を特に限定するものではない。
【００２０】
発光パネル２は、透光性を有する板状（本実施形態では、矩形板状）の基体（図示せず）と、上記基体の一表面側に配置され発光層（図示せず）を含む板状（本実施形態では、矩形板状）の発光体（図示せず）とを有している。本実施形態では、上記発光体の外周形状が、上記基体の外周形状よりも小さな形状となっている。
【００２１】
上記発光体は、上記基体側に形成された第１の電極（図示せず）と、上記第１の電極における上記基体側とは反対側に形成された上記発光層と、上記発光層における上記基体側とは反対側に形成された第２の電極（図示せず）とを備えている。本実施形態では、上記第１の電極が、透明導電膜からなり、陽極を構成している。また、本実施形態では、上記第２の電極が、例えば、アルミニウム膜からなり、陰極を構成している。ここで、アルミニウム膜は、反射膜を兼ねている。
【００２２】
また、発光パネル２は、上記発光体の外側を覆い上記基体に取り付けられた封止部（図示せず）を有している。なお、本実施形態では、上記基体の他表面が、発光パネル２の光出射面となる。また、本実施形態では、発光パネル２の発光色を、白色としているが、白色以外であってもよい。
【００２３】
また、発光パネル２は、この発光パネル２の光出射面側とは反対側（図４では、上面側）に、上記第１の電極と電気的に接続された複数（本実施形態では、６個）の第１の端子部２ｂが設けられている。なお、本実施形態では、発光パネル２における上記反対側の両端部（図４では、左上端部および右下端部）の各々に、第１の端子部２ｂが３個ずつ配置されている。
【００２４】
また、発光パネル２は、この発光パネル２の光出射面側とは反対側に、上記第２の電極と電気的に接続された複数（本実施形態では、４個）の第２の端子部２ａが設けられている。なお、本実施形態では、発光パネル２における上記反対側の両端部（図４では、左上端部および右下端部）の各々に、第２の端子部２ｂが２個ずつ配置されている。
【００２５】
配線基板８は、例えば、ガラスエポキシ樹脂などからなる絶縁性基材に適宜の第１の導体パターン（図示せず）が形成されたプリント配線板により形成されている。本実施形態では、配線基板８が、矩形枠状に形成されている。
【００２６】
また、配線基板８は、発光パネル２側とは反対側に、発光パネル２の各端子部２ａ，２ｂと各別に電気的に接続可能な複数（本実施形態では、１０個）のランド８ａが上記第１の導体パターンの一部により形成されている。なお、本実施形態では、配線基板８における発光パネル２側とは反対側の両端部（図４では、左上端部および右下端部）の各々に、各ランド８ａが５個ずつ配置されている。
【００２７】
ここにおいて、本実施形態における有機ＥＬモジュール１では、配線基板８の各ランド８ａの各々が、導電性を有する電気接続部３９により、対応する各端子部２ａ，２ｂと電気的に接続されている。なお、本実施形態では、電気接続部３９として、ワイヤを採用しているが、これに限らず、例えば、リード線などを採用してもよい。
【００２８】
また、配線基板８は、発光パネル２側とは反対側に、対応する各ランド８ａと電気的に接続された一対の給電端子１５，１５（図５参照）が突設されている。本実施形態では、一対の給電端子１５，１５が、配線基板８の上記第１の導体パターンの一部を介して各ランド８ａと各別に電気的に接続されている。なお、図５では、一対の給電端子１５，１５のうち一方の給電端子１５が見えている。
【００２９】
本実施形態における有機ＥＬモジュール１では、発光パネル２と配線基板８とが、例えば、両面に接着剤が塗布されたテープなどにより接着されている。
【００３０】
ケース６は、発光パネル２側（図４では、下側）に開口面を有する扁平な箱状（本実施形態では、矩形箱状）に形成されている。本実施形態では、ケース６の材料として、例えば、電気的絶縁性を有する合成樹脂材料などを採用することができる。
【００３１】
ケース６の底壁６ｆの中央部には、発光パネル２側へ窪むように形成された第１の凹部６ａが設けられている。本実施形態における有機ＥＬモジュール１では、第１の凹部６ａの内周形状が、矩形状に形成されている。また、本実施形態では、ケース６の底壁６ｆにおける周部の発光パネル２側が、配線基板８を収納する収納部６ｂを構成している。
【００３２】
また、ケース６の底壁６ｆの周部には、配線基板８に突設された一対の給電端子１５，１５に対応する位置に、これら一対の給電端子１５，１５を導出する一対の導出孔６ｅ，６ｅが貫設されている。
【００３３】
また、ケース６の底壁６ｆの一端部（図４では、左上端部）には、発光パネル２側とは反対側に、ケース６をベース部４に着脱自在に係合するための一対の第１係合爪６ｄ，６ｄが設けられている。また、ケース６の底壁６ｆの他端部（図４では、右下端部）には、発光パネル２側とは反対側に、ケース６をベース部４に着脱自在に係合するための第２係合爪６ｃが設けられている。
【００３４】
カバー５は、発光パネル２側（図４では、上側）に、発光パネル２を収納する収納部５ａを有する扁平な箱状（本実施形態では、矩形箱状）に形成されている。本実施形態では、カバー５の材料として、透光性材料を採用している。透光性材料としては、透光性の樹脂（例えば、ＡＢＳ樹脂、アクリル樹脂、ポリスチレン樹脂など）を採用することができる。なお、本実施形態では、透光性材料として、透光性の樹脂を採用しているが、これに限らず、例えば、ガラスなどを採用することもできる。
【００３５】
また、カバー５の側壁５ｂの外側には、このカバー５をケース６に取り付けるための嵌合爪５ｃが、複数箇所（本実施形態では、８箇所）に設けられている。ここにおいて、ケース６の側壁６ｇの内側には、カバー５の各嵌合爪５ｃの各々に対応する位置に、これら各嵌合爪５ｃを各別に嵌合する嵌合溝（図示せず）が設けられている。したがって、本実施形態における有機ＥＬモジュール１では、カバー５の各嵌合爪５ｃをケース６の上記各嵌合溝に嵌合させることによって、カバー５がケース６に取り付けられる。
【００３６】
ベース部４は、発光パネル２を点灯させる点灯回路（図示せず）を有する回路基板９と、回路基板９に電気的に接続され光源部３の一対の給電端子１５，１５を着脱自在に挿抜可能な一対の端子受け部１３，１３とを備えている。また、ベース部４は、回路基板９および一対の端子受け部１３，１３を収納可能なハウジング１２と、ハウジング１２に収納された回路基板９および一対の端子受け部１３，１３を保護する保護部材１０とを備えている。
【００３７】
回路基板９は、例えば、ガラスエポキシ樹脂などからなる絶縁性基材に適宜の第２の導体パターン（図示せず）が形成されたプリント配線板により形成されている。なお、本実施形態では、回路基板９の外周形状が、矩形状に形成されているが、この形状を特に限定するものではない。
【００３８】
回路基板９の一表面側（図４では、下面側）には、上記点灯回路を構成する電子部品（図示せず）が実装されている。また、回路基板９の一端部（図４では、左下端部）の上記一表面側には、天井材４０（図１参照）の上面側に予め設置された電源ユニット（図示せず）から給電するための一対のコネクタ１１，１１が実装されている。また、回路基板９の上記一端部の上記一表面側には、発光パネル２の光出力を制御するための制御信号を入力可能な入力端子７が実装されている。なお、本実施形態における有機ＥＬモジュール１では、上記電子部品、一対のコネクタ１１，１１および入力端子７の各々が、上記第２の導体パターンの一部と電気的に接続されている。また、本実施形態では、上記点灯回路が、入力端子７から入力された制御信号に応じて発光パネル２の光出力を制御する制御回路を含んでいる。
【００３９】
各端子受け部１３の各々は、帯板状の金属板を屈曲させて形成されている。
【００４０】
また、各端子受け部１３の各々は、一端部に、ケース６の各導出孔６ｅの各々から導出された各給電端子１５（図５参照）を挟持可能な挟持部１３ａが設けられている。本実施形態では、各端子受け部１３の各々の他端部が、例えば、半田からなる接合部（図示せず）により回路基板９に電気的に接続されている。
【００４１】
ハウジング１２は、板状（本実施形態では、矩形板状）に形成されている。本実施形態では、ハウジング１２の材料として、例えば、電気的絶縁性を有する合成樹脂材料などを採用することができる。
【００４２】
ハウジング１２の中央部には、上述の保護部材１０を収納するための第２の凹部１２ｅが設けられている。
【００４３】
ハウジング１２の第２の凹部１２ｅにおける内底壁の周部には、ケース６の一対の導出孔６ｅ，６ｅから導出された一対の給電端子１５，１５を挿通する一対の挿通孔１２ｂ，１２ｂが貫設されている。本実施形態では、各挿通孔１２ｂの各々の内側に、一対の端子受け部１３，１３の各挟持部１３ａが配置される。
【００４４】
ハウジング１２の第２の凹部１２ｅにおける内底壁の中央部には、回路基板９を収納するための第３の凹部１２ａが設けられている。
【００４５】
また、ハウジング１２の第３の凹部１２ａの内底壁には、この第３の凹部１２ａに収納された回路基板９の上記電子部品が第３の凹部１２ａの内底壁に接触するのを防ぐために、回路基板９を支持する支持部１４が突設されている。本実施形態における有機ＥＬモジュール１では、支持部１４に、複数（本実施形態では、２個）のボス１６が設けられ、各ボス１６の各々に、回路基板９をハウジング１２に固定するための固定ねじ１７を螺合する固定ねじ穴１６ａが形成されている。ここにおいて、回路基板９は、ハウジング１２の各固定ねじ穴１６ａの各々に対応する位置に、固定ねじ１７を挿通する第１の固定ねじ挿通孔９ａが貫設されている。
【００４６】
また、ハウジング１２の周部の発光パネル２側には、ケース６の一対の第１係合爪６ｄ，６ｄに対応する位置に、一対の第１係合爪６ｄ，６ｄを着脱自在に係合する一対の第１係合部１２ｄ，１２ｄ（図５参照）が設けられている。なお、図５では、一対の第１係合部１２ｄ，１２ｄのうち一方の第１係合部１２ｄが見えている。
【００４７】
また、ハウジング１２の周部の発光パネル２側には、ケース６の第２係合爪６ｃに対応する位置に、第２係合爪６ｃを着脱自在に係合する第２係合部１２ｃが設けられている。
【００４８】
また、ハウジング１２の周部には、このハウジング１２を、例えば、器具本体２０（図１参照）に取り付けるための第１の取付ねじ（図示せず）を挿通する第１の取付ねじ挿通孔１２ｆが、複数箇所（本実施形態では、４箇所）に貫設されている。
【００４９】
保護部材１０は、板状（本実施形態では、矩形板状）に形成されている。本実施形態では、保護部材１０の材料として、例えば、電気的絶縁性を有する合成樹脂材料などを採用することができる。
【００５０】
また、保護部材１０は、回路基板９の各第１の固定ねじ挿通孔９ａの各々に対応する位置に、固定ねじ１７を挿通する第２の固定ねじ挿通孔１０ａが貫設されている。ここにおいて、本実施形態における有機ＥＬモジュール１では、固定ねじ１７を、保護部材１０および回路基板９の各固定ねじ挿通孔１０ａ，９ａに挿通して、ハウジング１２の各固定ねじ穴１６ａに螺合することにより、保護部材１０および回路基板９の各々をハウジング１２に固定することができる。これにより、本実施形態における有機ＥＬモジュール１では、ハウジング１２に収納された回路基板９および一対の端子受け部１３，１３を保護部材１０により覆うことが可能となり、回路基板９および一対の端子受け部１３，１３を保護することが可能となる。
【００５１】
以下、本実施形態における有機ＥＬモジュール１に関して、光源部３をベース部４に取り付ける手順を、図５に基づいて説明する。なお、光源部３およびベース部４の各々が、予め組み立てられているものとして説明する。
【００５２】
まず、光源部３の一対の第１係合爪６ｄ，６ｄを、ベース部４の一対の第１係合部１２ｄ，１２ｄに係合させる。次に、一対の第１係合爪６ｄ，６ｄを支点として、光源部３の第２係合爪６ｃをベース部４に近づける。そして、光源部３の第２係合爪６ｃを、ベース部４の第２係合部１２ｃに係合させることによって、光源部３をベース部４に取り付けることができる。ここで、本実施形態における有機ＥＬモジュール１では、光源部３がベース部４に取り付けられると、光源部３の一対の給電端子１５，１５が、ベース部４の一対の端子受け部１３，１３に挟持される。これにより、本実施形態における有機ＥＬモジュール１では、光源部３とベース部４とが、電気的に接続される。ここにおいて、光源部３をベース部４から取り外す場合は、光源部３の第２係合爪６ｃとベース部４の第２係合部１２ｃとの係合を解除した後に、光源部３の一対の第１係合爪６ｄ，６ｄとベース部４の一対の第１係合部１２ｄ，１２ｄとの係合を解除することによって、光源部３をベース部４から取り外すことができる。
【００５３】
以下、本実施形態の照明器具における有機ＥＬモジュール１以外の構成要素について説明する。
【００５４】
器具本体２０は、箱状（本実施形態では、矩形箱状）に形成されている。本実施形態では、器具本体２０を、例えば、鋼板などの金属板により形成している。また、本実施形態では、器具本体２０の表面が、銀色の塗装材により塗装されている。これにより、本実施形態の照明器具では、器具本体２０に、反射板としての機能を付加することが可能となる。なお、器具本体２０の材料は、金属に限らず、例えば、合成樹脂などであってもよい。
【００５５】
本実施形態の照明器具では、器具本体２０の上端部の中央部に、有機ＥＬモジュール１を配置するための第１の凹所２０ｂ（図２（ａ）および図３（ａ）参照）が設けられている。また、本実施形態では、器具本体２０の下端部の中央部にも、有機ＥＬモジュール１を配置するための第２の凹所２０ａ（図２（ｂ）および図３参照）が設けられている。
【００５６】
本実施形態の照明器具では、複数（本実施形態では、３２個）の有機ＥＬモジュール１を備えている。なお、本実施形態では、有機ＥＬモジュール１の個数を３２個としているが、この個数を特に限定するものではない。
【００５７】
また、本実施形態の照明器具では、各有機ＥＬモジュール１のベース部４の各々が、上記第１の取付ねじにより器具本体２０の各凹所２０ｂ，２０ａの内底壁に取り付けられる。ここで、本実施形態では、第１の凹所２０ｂの内底壁に、８個の有機ＥＬモジュール１が取り付けられている（図２（ａ）参照）。また、本実施形態では、第２の凹所２０ａの内底壁に、２４個の有機ＥＬモジュール１が取り付けられている（図２（ｂ）参照）。なお、本実施形態の照明器具では、第１の凹所２０ｂの内底壁に配置された有機ＥＬモジュール１の個数を８個、第２の凹所２０ａの内底壁に配置された有機ＥＬモジュール１の個数を２４個としているが、これらの個数を特に限定するものではない。
【００５８】
本実施形態の照明器具では、第１の凹所２０ｂの内底壁に配置された有機ＥＬモジュール（第１の有機エレクトロルミネッセンス素子モジュール）１が、発光パネル２の光出射面を上側として器具本体２０に保持されている。また、本実施形態では、第２の凹所２０ａの内底壁に配置された有機ＥＬモジュール（第２の有機エレクトロルミネッセンス素子モジュール）１が、発光パネル２の光出射面を下側として器具本体２０に保持されている。第１の凹所２０ｂの内底壁に配置された有機ＥＬモジュール１が有する有機エレクトロルミネッセンス素子は、第１の有機エレクトロルミネッセンス素子に相当する。第２の凹所２０ａの内底壁に配置された有機ＥＬモジュール１が有する有機エレクトロルミネッセンス素子は、第２の有機エレクトロルミネッセンス素子に相当する。
【００５９】
ここにおいて、本実施形態の照明器具における各有機ＥＬモジュール１は、外側面が隣りの有機ＥＬモジュール１および器具本体２０から離れていることが好ましい。これにより、本実施形態の照明器具では、有機ＥＬモジュール１の光源部３を交換する作業性を向上させることが可能となる。
【００６０】
本実施形態の照明器具では、器具本体２０の上端部の周部に、この照明器具２０を吊りボルト４１（図１，３参照）に吊り下げ可能な一対の吊下げ部２１，２１が、複数箇所（本実施形態では、２箇所）に取り付けられている。また、本実施形態では、各一対の吊下げ部２１，２１の先端部（図１では、上端部）の各々に、天井材４０に貫設された埋込孔４０ａに埋め込まれる埋込部２２が設けられている。各埋込部２２の各々は、吊りボルト４１に着脱自在に取り付け可能となっている。なお、図２（ａ）では、一方の一対の吊下げ部２１，２１および埋込部２２の各々の図示を省略している。また、本実施形態では、４本の吊りボルト４１が、天井材４０の上側に予め設置されている。
【００６１】
また、本実施形態の照明器具は、器具本体２０の第１の凹所２０ｂの内底壁に配置された各有機ＥＬモジュール１の発光パネル２の光出射面側（図１では、上面側）を覆う第１の保護カバー３２を備えている。
【００６２】
第１の保護カバー３２は、板状（本実施形態では、矩形板状）に形成されている。本実施形態では、第１の保護カバー３２の材料として、透光性材料を採用している。透光性材料としては、透光性の樹脂（例えば、アクリル樹脂など）を採用することができる。なお、本実施形態では、透光性材料として、透光性の樹脂を採用しているが、これに限らず、例えば、ガラスなどを採用することもできる。
【００６３】
また、第１の保護カバー３２の周部には、この第１の保護カバー３２を器具本体２０に取り付けるための第２の取付ねじ３７を挿通する第２の取付ねじ挿通孔（図示せず）が、複数箇所（本実施形態では、４箇所）に貫設されている。ここにおいて、器具本体２０の上端部の周部には、第１の保護カバー３２の各第２の取付ねじ挿通孔の各々に対応する位置に、第２の取付ねじ３７を螺合する取付ねじ穴３８が設けられている。本実施形態の照明器具では、第２の取付ねじ３７を、第１の保護カバー３２の各第２の取付ねじ挿通孔に挿通して、器具本体２０の各取付ねじ穴３８に螺合することにより、第１の保護カバー３２を器具本体２０に取り付けることができる。
【００６４】
また、本実施形態の照明器具は、器具本体２０の第２の凹所２０ａの内底壁に配置された各有機ＥＬモジュール１の発光パネル２の光出射面側（図１では、下面側）を覆う第２の保護カバー３１を備えている。
【００６５】
第２の保護カバー３１は、板状（本実施形態では、矩形板状）に形成されている。本実施形態では、第２の保護カバー３１の材料として、透光性材料を採用している。透光性材料としては、透光性の樹脂（例えば、アクリル樹脂など）を採用することができる。なお、本実施形態では、透光性材料として、透光性の樹脂を採用しているが、これに限らず、例えば、ガラスなどを採用することもできる。
【００６６】
また、第２の保護カバー３１の周部には、この第２の保護カバー３１を器具本体２０に取り付けるための第３の取付ねじ３４を挿通する第３の取付ねじ挿通孔３１ａ（図３参照）が、複数箇所（本実施形態では、８箇所）に貫設されている。ここにおいて、器具本体２０の下端部の周部には、第２の保護カバー３１の各第３の取付ねじ挿通孔３１ａの各々に対応する位置に、第３の取付ねじ３４を挿通する第４の取付ねじ挿通孔２０ｃ（図２（ｂ）参照）が貫設されている。また、器具本体２０の内部には、各第４の取付ねじ挿通孔２０ｃの各々に対応する位置に、第３の取付ねじ３４を螺合する螺合部３６（図１，３参照）が設けられている。本実施形態の照明器具では、第３の取付ねじ３４を、第２の保護カバー３１および器具本体２０の各取付ねじ挿通孔３１ａ，２０ｃに挿通して、器具本体２０の螺合部３６に螺合することにより、第２の保護カバー３１を器具本体２０に取り付けることが可能となる。
【００６７】
本実施形態の照明器具では、器具本体２０と第２の保護カバー３１との間に、規定の距離を保つスペーサ３５（図１，３参照）が、複数箇所（本実施形態では、８箇所）に配置されている。各スペーサ３５は、筒状（本実施形態では、円筒状）に形成されている。本実施形態では、各スペーサ３５の材料として、例えば、合成樹脂材料などを採用することができる。
【００６８】
また、本実施形態の照明器具では、器具本体２０および第２の保護カバー３１の各取付ねじ挿通孔３１ａ，２０ｃの各々の中心軸上に、各スペーサ３５を介在させている。これにより、本実施形態の照明器具では、器具本体２０と第２の保護カバー３１との間に規定の距離を保つことが可能となり、器具本体２０の第２の凹所２０ａの内底壁に配置された有機ＥＬモジュール１で発生する熱を、外部へ効率的に放熱することが可能となる。
【００６９】
ここにおいて、本実施形態の照明器具では、器具本体２０の外周形状が、第２の保護カバー３１の外周形状よりも小さな形状となっている。これにより、本実施形態の照明器具では、第２の保護カバー３１を器具本体２０の下側に配置しているので、仮に、器具本体２０の第２の凹所２０ａの内底壁に配置された有機ＥＬモジュール１における上記第１の取付ねじが外れたとしても、この有機ＥＬモジュール１が落下するのを防止することが可能となる。
【００７０】
また、本実施形態の照明器具において第２の保護カバー３１は、少なくとも器具本体２０における第２の凹所２０ａの開口面の投影領域のうち、第２の凹所２０ａの内底壁に配置された各有機ＥＬモジュール１の発光部（各発光パネル２において、上記第１の電極、上記発光層および上記第２の電極の各々が重なる領域）の下方への投影領域以外の領域（図２（ｂ）中のハッチングを施した領域）である非発光部に、有機ＥＬモジュール１における発光パネル２の発光色と同系色（本実施形態では、白色）の着色部材３１ｂが設けられることが好ましい。着色部材３１ｂは、この着色部材３１ｂの色が白色の場合、例えば、白色のシルク印刷により形成することができる。これにより、本実施形態の照明器具では、器具本体２０の第２の凹所２０ａの内底壁に配置された各有機ＥＬモジュール１を点灯させた場合に、上記非発光部が目立つのを低減することが可能となる。なお、本実施形態では、着色部材３１ｂを、白色のシルク印刷により形成しているが、これに限らず、例えば、二色成形により第２の保護カバー３１と一体に形成してもよい。
【００７１】
しかして、本実施形態の照明器具では、第１の凹所２０ｂの内底壁に配置される有機ＥＬモジュール１が、発光パネル２の光出射面を上側として器具本体２０に保持されているので、器具本体２０の上側への配光が可能となる。また、本実施形態の照明器具では、例えば、この照明器具を各吊りボルト４１から吊り下げた場合、器具本体２０の第１の凹所２０ｂの内底壁に配置された各有機ＥＬモジュール１からの光を、天井材４０の下面に向けて照射することが可能となる。これにより、本実施形態の照明器具では、器具本体２０の第１の凹所２０ｂの内底壁に配置された各有機ＥＬモジュール１からの光を、間接照明として利用することが可能となり、また、器具本体２０の第２の凹所２０ａの内底壁に配置された各有機ＥＬモジュール１からの光を、直接照明として利用することが可能となる。
【００７２】
また、本実施形態の照明器具では、第１の保護カバー３２を、器具本体２０の第１の凹所２０ｂの内底壁に配置された各有機ＥＬモジュール１の発光パネル２の光出射面側（図１では、上面側）を覆うようにして器具本体２０に取り付けているので、これら各有機ＥＬモジュール１に埃などが積もるのを防ぐことが可能となり、有機ＥＬモジュール１の劣化（光量の低下や短寿命化など）を抑制することが可能となる。これにより、本実施形態の照明器具では、器具本体２０から上方の空間を明るくすることが可能となる。
【００７３】
以上説明した本実施形態の照明器具では、器具本体２０と、有機エレクトロルミネッセンス素子の光出射面を上側として器具本体２０に保持された有機ＥＬモジュール（有機エレクトロルミネッセンス素子モジュール）１と、有機エレクトロルミネッセンス素子モジュール１の上面側を覆う透光性の第１の保護カバー（保護カバー）３２とを備えているので、器具本体２０の上側への配光が可能で、且つ、有機エレクトロルミネッセンス素子モジュール１の劣化を抑制することが可能となる。
【符号の説明】
【００７４】
１  有機エレクトロルミネッセンス素子モジュール
２０  器具本体
３２  第１の保護カバー（保護カバー）
【図１】
0005870296.tif 000002
【図２】
0005870296.tif 000003
【図３】
0005870296.tif 000004
【図４】
0005870296.tif 000005
【図５】
0005870296.tif 000006
【図６】
0005870296.tif 000007